(57)【要約】【課題】使用時や保管時における利便性を向上させる。【解決手段】配線コード１は、イヤホン、ヘッドホン等の電気／音声変換器等に使用されるものであり、長尺のコード本体１０と、このコード本体１０の側面に沿って着脱自在にそれぞれ収納される長尺の２つのコード本体２０，３０とを備えている。コード本体１０の側面に形成された２つの嵌合溝１４−１，１４−２に、コード本体２０，３０の側面をそれぞれ押し付ければ、該コード本体２０，３０が嵌合溝１４−１，１４−２内にそれぞれ嵌入されてコード本体１０内に収納されるので、簡単に３本１組の配線コードにすることができる。又、コード本体１０の嵌合溝１４−１，１４−２内にそれぞれ収納されたコード本体２０，３０を、該嵌合溝１４−１，１４−２から引き外せば、コード本体１０とコード本体２０，３０とを簡単に分離することができる。【選択図】図１
2008300078.tif 000002
【特許請求の範囲】
【請求項１】
長尺の第１のコード本体と、
前記第１のコード本体の側面に沿って着脱自在にそれぞれ収納される長尺の第２及び第３のコード本体と、
を備えた配線コードであって、
前記第１のコード本体は、第１の導体と、前記第１の導体を被覆する軟質性樹脂からなる第１の絶縁体と、前記第１の絶縁体の長手方向に沿って前記第１の絶縁体の側面にそれぞれ形成された断面凹状の第１及び第２の嵌合溝と、前記第１及び第２の嵌合溝の一部にそれぞれ形成された弾力性を有する第１及び第２の係止部とを備え、
前記第２のコード本体は、第２の導体と、前記第１の嵌合溝の断面の口径よりも小さな断面の口径を有していて前記第２の導体を被覆し、前記第１の嵌合溝内に着脱自在に嵌入されて前記第１の係止部により係止される軟質性樹脂からなる第２の絶縁体とを備え、
前記第３のコード本体は、第３の導体と、前記第２の嵌合溝の断面の口径よりも小さな断面の口径を有していて前記第３の導体を被覆し、前記第２の嵌合溝内に着脱自在に嵌入されて前記第２の係止部により係止される軟質性樹脂からなる第３の絶縁体とを備えた、  ことを特徴とする配線コード。
【請求項２】
請求項１記載の配線コードは、更に、
前記第１、第２及び第３のコード本体を跨いで摺動自在に装着されたリング部材、
を有することを特徴とする配線コード。
【請求項３】
請求項１又は２記載の配線コードにおいて、
前記断面凹状の第１の嵌合溝は、前記第１の絶縁体の側面の長手方向に沿って所定幅の第１の開口部を有し、
前記断面凹状の第２の嵌合溝は、前記第１の絶縁体の側面の長手方向に沿って所定幅の第２の開口部を有し、
前記第１の開口部の対向する箇所に、前記第２のコード本体の断面の口径よりも小さな幅を有する前記第１の係止部が、前記第１の開口部を閉塞する方向に突設され、
前記第２の開口部の対向する箇所に、前記第３のコード本体の断面の口径よりも小さな幅を有する前記第２の係止部が、前記第２の開口部を閉塞する方向に突設されていることを特徴とする配線コード。
【請求項４】
請求項１、２又は３記載の配線コードを用いた携帯用音響機器であって、
前記配線コードの一端側に接続された一対の電気／音声変換器と、
前記配線コードの他端側に接続されたプラグと、
を備えたことを特徴とする携帯用音響機器。
【請求項５】
請求項４記載の携帯用音響機器において、
前記配線コードの一端側には、第１の係合部材が装着され、
前記配線コードの他端側には、前記第１の係合部材に対して着脱自在に係合される第２の係合部材が装着されていることを特徴とする携帯用音響機器。
【請求項６】
請求項４又は５記載の携帯用音響機器において、
前記電気／音声変換器は、イヤホン又はヘッドホンであることを特徴とする携帯用音響機器。
【発明の詳細な説明】
【技術分野】
【０００１】
この発明は、断面の口径が大きな長尺の第１のコード本体の側面に沿って、断面の口径が小さな長尺の第２及び第３のコード本体が着脱自在に収納される配線コードと、この配線コードを用いたイヤホン、ヘッドホン等の携帯用音響機器に関するものである。
【背景技術】
【０００２】
従来、ステレオ型イヤホン、ヘッドホン等に使用される２本１組の配線コードを結合／分離可能にしたものとして、例えば、次のような文献に記載されるものがあった。
【０００３】
【特許文献１】特開２００４−５６６３６号公報（ＪＰ２００４−５６６３６）
【特許文献２】特開平７−２１１１４６号公報（ＪＰ７２１１１４６）
【特許文献３】米国特許ＵＳ  ６，７５１，３８２
【特許文献４】ヨーロッパ特許公開公報ＥＰ１５０９０６２
【０００４】
特許文献１には、ファスナー付き配線コードを用いたステレオ型ヘッドホンの技術が記載されている。このヘッドホンでは、ファスナー付き２本１組の配線コードの一端に、ステレオ用の２個のヘッドホン本体が接続され、他端にプラグが接続されている。
【０００５】
ファスナーは、２帯の布状のテープ部分がスライダーにより開閉可能な構造になっているので、このファスナーを利用して、２帯の布状のテープ部分をそれぞれ袋状に形成し、この袋状の各テープ部分に配線コードをそれぞれ挿入してファスナー付き２本１組の配線コードを形成する。このファスナー付き２本１組の配線コードの一端に、２個のヘッドホン本体を電気的に接続すると共に、配線コードの他端を留め具で固定してプラグを電気的に接続することにより、ヘッドホンを製造する構造になっている。
【０００６】
このようなヘッドホンでは、スライダーにより配線コード部分を分岐できるので、分岐する配線コードの長さを容易に調整でき、又、収納持の配線コード部分の絡み付きを防止できて便利である。
【０００７】
この特許文献１に関連する技術として、特許文献２〜４に記載されたステレオ型イヤホン・ケーブル（STEREOPHONIC  EARPHONE  CABLE）も知られている。このステレオ型イヤホン・ケーブルは、結合又は分離が可能なケーブルに関する技術である。
【発明の開示】
【発明が解決しようとする課題】
【０００８】
しかしながら、従来の特許文献１〜４に記載された２本１組の配線コードでは、形状や構造が複雑なため、量産性が低く、コスト高になる。２本１組の配線コードを結合するためには、必要に応じて、位置合わせと結合のためのスライダーが必要になる。そのため、部品点数が多くなって量産性が低く、コスト高になる。更に、２本１組の配線コードを結合した時に、全体の断面形状が太くなり、しかも、使用時に屈曲を繰り返すと２本が分離する虞があり、使用しづらい等といった課題があった。
【課題を解決するための手段】
【０００９】
この発明の第１の目的は、結合部材を設けなくても、第１のコード本体の側面に沿って容易に第２及び第３のコード本体を着脱自在に収納でき、しかも、第１のコード本体に対して第２及び第３のコード本体を収納した時に１本の配線コードになって使用や保管が便利であり、更に、３本１組の配線コードのために多用途に使用できる配線コードを提供することにある。
【００１０】
この発明の第２の目的は、リング部材（環状部材）を設けることにより、第１のコード本体に対する第２及び第３のコード本体の結合又は分離がより容易になる配線コードを提供することにある。
【００１１】
この発明の第３の目的は、第１のコード本体に対して第２及び第３のコード本体を収納した時に、全体を屈曲させても外れにくい配線コードを提供することにある。
【００１２】
この発明の第４の目的は、第１、第２及び第３のコード本体の断面が簡素な形状であるから、製造が容易で、量産性が高く、低コスト化が可能な配線コードを提供することにある。
【００１３】
この発明の第５の目的は、配線コード部分を細くて簡素な形態にでき、使用や保管の容易な携帯用音響機器を提供することにある。
【００１４】
前記第１、第３及び第４の目的を達成するために、この第１の発明の配線コードでは、長尺の第１のコード本体と、前記第１のコード本体の側面に沿って着脱自在にそれぞれ収納される長尺の第２及び第３のコード本体とを備えている。
【００１５】
前記第１のコード本体は、第１の導体と、前記第１の導体を被覆する軟質性樹脂からなる第１の絶縁体と、前記第１の絶縁体の長手方向に沿って前記第１の絶縁体の側面にそれぞれ形成された断面凹状の第１及び第２の嵌合溝と、前記第１及び第２の嵌合溝の一部にそれぞれ形成された弾力性を有する第１及び第２の係止部とを備えている。前記第２のコード本体は、第２の導体と、前記第１の嵌合溝の断面の口径よりも小さな断面の口径を有していて前記第２の導体を被覆し、前記第１の嵌合溝内に着脱自在に嵌入されて前記第１の係止部により係止される軟質性樹脂からなる第２の絶縁体とを備えている。更に、前記第３のコード本体は、第３の導体と、前記第２の嵌合溝の断面の口径よりも小さな断面の口径を有していて前記第３の導体を被覆し、前記第２の嵌合溝内に着脱自在に嵌入されて前記第２の係止部により係止される軟質性樹脂からなる第３の絶縁体とを備えている。
【００１６】
前記第２の目的を達成するために、この第２の発明の配線コードでは、前記第１の発明の配線コードと、リング部材とを備えている。前記リング部材は、前記第１、第２及び第３のコード本体を跨いで摺動自在に装着されている。
【００１７】
前記第５の目的を達成するために、この第３の発明の携帯用音響機器では、第１又は第２の発明の配線コードと、前記配線コードの一端側に接続された一対の電気／音声変換器と、前記配線コードの他端側に接続されたプラグとを備えている。又、前記配線コードの一端側には、第１の係合部材が装着され、前記配線コードの他端側には、前記第１の係合部材に対して着脱自在に係合される第２の係合部材が装着されていても良い。前記電気／音声変換器は、例えば、イヤホン又はヘッドホン等である。
【発明の効果】
【００１８】
この第１の発明によれば、前記のような構成を採用したことにより、前記第１のコード本体の第１及び第２の嵌合溝に、前記第２及び第３のコード本体の側面をそれぞれ押し付ければ、前記第２及び第３のコード本体が前記第１及び第２の嵌合溝に嵌入されて前記第１のコード本体内に収納されるので、簡単に３本１組の配線コードにすることができる。又、前記第１のコード本体の第１及び第２の嵌合溝内にそれぞれ収納された前記第２及び第３のコード本体を前記第１及び第２の嵌合溝から引き外せば、前記第１のコード本体と前記第２及び第３のコード本体とを簡単に分離することができる。しかも、前記第１、第２及び第３のコード本体は、構造が簡単なため、製造が容易で、量産性が高く、低コスト化が可能である。このような着脱自在の３本１組の配線コードは、種々の用途に使用できる。
【００１９】
この第２の発明によれば、前記のような構成を採用したことにより、前記リング部材を移動させることによって、前記第１のコード本体に対して第２及び第３のコード本体を任意の位置で接合できる。又、接合された前記第１のコード本体に対して前記第２及び第３のコード本体を引き離せば、これに伴って前記リング部材が摺動するので、前記第１のコード本体に対して前記第２及び第３のコード本体を簡単に分離することができる。このような前記リング部材付きの配線コードは、種々の用途に使用できる。
【００２０】
この第３の発明によれば、前記のような構成を採用したことにより、配線コード部分に、結合／分離可能な３本１組の配線コードを用いているので、従来のものよりも配線コード部分を細くて簡素な形態にでき、使用及び保管が容易であり、更に、多用途に使用できる。
【発明を実施するための最良の形態】
【００２１】
この発明の前記並びにその他の目的と新規な特徴は、次の、好ましい実施例の説明を添付図面と照らし合わせて読むと、より完全に明らかになるであろう。但し、図面はもっぱら解説のためのものであって、この発明の範囲を限定するものではない。
【実施例１】
【００２２】
（実施例１の構成）
図１は、この発明の好ましい実施例１を示す配線コードの概略の斜視図、及び、図２は、この発明の好ましい実施例１を示す図１の配線コードの端面部分の斜視図である。又、図３は、この発明の好ましい実施例１を示すリング部材付きの配線コードの概略の斜視図である。
【００２３】
図１及び図２に示す配線コード１は、長尺の第１、第２及び第３のコード本体１０，２０，３０を有し、この第１のコード本体１０の側面に沿って第２及び第３のコード本体２０，３０が着脱自在に収納される構造になっている。つまり、第１のコード本体１０は、断面形状が例えば大口径の略円形であり、第２及び第３のコード本体２０，３０は、断面形状が例えば小口径の略円形であり、前記第１のコード本体１０の側面内に、前記第２及び第３のコード本体２０，３０がそれぞれ収納及び離脱可能な構造になっている。
【００２４】
第１のコード本体１０は、絶縁被覆された複数本の長尺の第１の導体１１を有し、この複数本の第１の導体１１の外側が、断面略円形の第１の絶縁体１２により被覆されている。第１の絶縁体１２の長手方向に沿ってこの絶縁体１２の対向する側面に、断面凹状（例えば、断面が絶縁体１２の口径よりも小口径の略円形）の第１及び第２の嵌合溝１４−１，１４−２がそれぞれ形成されている。第１の嵌合溝１４−１は、絶縁体１２の側面の長手方向に沿って所定幅の開口部１４−１ａを有し、この開口部１４−１ａの対向する箇所に、第２のコード本体２０の断面の口径よりも小さな幅を有する一対の第１の係止部１４−１ｂ，１４−１ｃが、該開口部１４−１ａを閉塞する方向に突設されている。一対の第１の係止部１４−１ｂ，１４−１ｃは、弾力性を有している。同様に、第２の嵌合溝１４−２は、絶縁体１２の側面の長手方向に沿って所定幅の開口部１４−２ａを有し、この開口部１４−２ａの対向する箇所に、第３のコード本体３０の断面の口径よりも小さな幅を有する一対の第２の係止部１４−２ｂ，１４−２ｃが、該開口部１４−２ａを閉塞する方向に突設されている。一対の第２の係止部１４−２ｂ，１４−２ｃは、弾力性を有している。
【００２５】
これらの第１の絶縁体１２、第１、第２の嵌合溝１４−１，１４−２、第１の係止部１４−１ｂ，１４−１ｃ、及び第２の係止部１４−２ｂ，１４−２ｃは、非塩化ビニール等の軟質性樹脂により一体的に形成されている。なお、図示されていないが、複数本の第１の導体１１には、これに沿って、１本又は複数本の補強糸を介在させても良い。
【００２６】
第２のコード本体２０は、絶縁被覆された複数本の長尺の第２の導体２１を有し、この複数本の第２の導体２１の外側が、第１の嵌合溝１４−１内に嵌合可能な第２の絶縁体２２により被覆されている。第２の絶縁体２２の断面形状は、第１の嵌合溝１４−１の断面の口径よりも少し小さな口径を有する略円形をしており、非塩化ビニール等の軟質性樹脂により形成されている。
【００２７】
同様に、第３のコード本体３０は、絶縁被覆された複数本の長尺の第３の導体３１を有し、この複数本の第３の導体３１の外側が、第２の嵌合溝１４−２内に嵌合可能な第３の絶縁体３２により被覆されている。第３の絶縁体３２の断面形状は、第２の嵌合溝１４−２の断面の口径よりも少し小さな口径を有する略円形をしており、非塩化ビニール等の軟質性樹脂により形成されている。なお、図示されていないが、複数本の第２及び第３の導体２１，３１には、これに沿って、それぞれ１本又は複数本の補強糸を介在させても良い。
【００２８】
図３に示すように、配線コード１の外側には、リング部材４０を摺動自在に装着しても良い。
【００２９】
（実施例１の製造例）
この実施例１の長尺の配線コード１は、例えば、以下のようにして製造される。
先ず、長尺の第１のコード本体１０の製造において、例えば、複数本の第１の導体１１（及び必要に応じて１本又は複数本の補強糸）を押出機のクロスヘッドにセットし、この押出機に被覆材の樹脂ペレットを供給する。これにより、樹脂ペレットが加熱されて溶融し、クロスヘッドへ所定の圧力で注入されて、複数本の第１の導体１１（及び必要に応じて挿入された１本又は複数本の補強糸）の表面が樹脂で被覆される。溶融した樹脂で被覆された第１の導体１１（及び必要に応じて挿入された１本又は複数本の補強糸）を、所定の速度でクロスヘッドから引き出して冷却する。これにより、クロスヘッドの出口のダイスの形状に応じて、所定の断面形状を有する第１の絶縁体１２で被覆された第１のコード本体１０を形成できる。
【００３０】
この第１のコード本体１０と同様にして、第２及び第３のコード本体２０，３０も形成される。第１、第２及び第３のコード本体１０，２０，３０を嵌合装置等にセットし、第１のコード本体１０の側面の長手方向に沿ってそれぞれ形成された第１及び第２の嵌合溝１４−１，１４−２と、第２及び第３のコード本体２０，３０の長手方向の側面とをそれぞれ接触させ、第２のコード本体２０を第１の嵌合溝１４−１の方向へ押圧すると共に、第３のコード本体３０を第２の嵌合溝１４−２の方向へ押圧すれば、これらの第２及び第３のコード本体２０，３０が第１及び第２の嵌合溝１４−１，１４−２内にそれぞれ嵌入されて第１のコード本体１０内に収納される。第２及び第３のコード本体２０，３０が第１のコード本体１０内に収納された３本１組の配線コード１をローラ等に巻き取れば、長尺の配線コード１の製造が終了する。
【００３１】
なお、リング部材４０を配線コード１に装着する場合には、この配線コード１を製造した後に、この配線コード１をリング部材４０内に挿入すれば良い。
【００３２】
（実施例１の使用例）
図４は、この発明の好ましい実施例１の配線コード１における着脱動作を示す縦断面図である。
【００３３】
次に、図４の（１）〜（４）を参照しつつ、第１のコード本体１０に対する第２及び第３のコード本体２０，３０の着脱動作を説明する。
【００３４】
なお、第２及び第３のコード本体２０，３０の着脱動作は、同様のため、以下、第２のコード本体２０の着脱動作について説明する。
【００３５】
例えば、第１のコード本体１０内に第２のコード本体２０を収納する場合は、図４の（１）及び（２）に示すように、第１のコード本体１０の側面の長手方向に沿って形成された第１の嵌合溝１４−１の開口部１４−１ａと、第２のコード本体２０の長手方向の側面とを接触させ、第２のコード本体２０を第１の嵌合溝１４−１の内側の矢印方向へ押圧する。配線コード１にリング部材４０が装着されている場合には、このリング部材４０を摺動させれば、第２のコード本体２０が第１の嵌合溝１４−１の内側の矢印方向へ押圧される。
【００３６】
第２のコード本体２０が押圧されると、この第２のコード本体２０の側面により、開口部１４−１ａ側の弾力性を有する一対の第１の係止部１４−１ｂ，１４−１ｃが第１の嵌合溝１４−１の内側の矢印方向へ屈曲し、第２のコード本体２０が開口部１４−１ａ内に押し込まれて第１の嵌合溝１４−１と嵌合し、図４の（３）に示すように、第２のコード本体２０が第１のコード本体１０内に収納される。
【００３７】
第２のコード本体２０が第１のコード本体１０内に収納された状態では、第２のコード本体２０の側面が第１のコード本体１０側の一対の第１の係止部１４−１ｂ，１４−１ｃにより係止されているので、該第２のコード本体２０における第１の嵌合溝１４−１からの離脱が防止される。そのため、第２のコード本体２０が第１のコード本体１０内に収納された状態の配線コード１を屈曲させても、第２のコード本体２０が第１のコード本体１０内から離脱しない。
【００３８】
第２のコード本体２０を第１のコード本体１０から分離させる場合は、図４の（４）に示すように、第１のコード本体１０内の第２のコード本体２０を、開口部１４−１ａの外側の矢印方向へ引き離す。この際、リング部材４０が配線コード１に装着されている場合には、前記第２のコード本体２０の引き離しに伴ってそのリング部材４０が移動する。これにより、弾力性を有する一対の第１の係止部１４−１ｂ，１４−１ｃが外側の矢印方向へ屈曲して開口部１４−１ａが開き、第２のコード本体２０が第１の嵌合溝１４−１から外れる。
【００３９】
同様にして、第１のコード本体１０に対する第３のコード本体３０の着脱動作が行われる。
【００４０】
（実施例１の効果）
この実施例１の配線コード１によれば、以下の（ａ）〜（ｅ）のような効果がある。
【００４１】
（ａ）  第１及び第２の嵌合溝１４−１，１４−２を有する大口径の第１のコード本体１０と、それらの第１及び第２の嵌合溝１４−，１４−２内にそれぞれ収納される小口径の第２及び第３のコード本体２０，３０とを、引き離す又は圧接することによって任意の位置で分離又は嵌合できる。特に、第１及び第２の嵌合溝１４−１，１４−２がそれぞれ断面略円形で、これに嵌合するように第２及び第３のコード本体２０，３０もそれぞれ断面略円形になっているので、第２及び第３のコード本体２０，３０を第１及び第２の嵌合溝１４−１，１４−２にそれぞれ嵌入する際に、第２及び第３のコード本体２０，３０の回転角度の位置合わせが不要となり、該第２及び第３のコード本体２０，３０を第１及び第２の嵌合溝１４−１，１４−２内にそれぞれ容易に嵌合できる。しかも、第２及び第３のコード本体２０，３０を第１のコード本体１０内に収納すれば、３本１組からなる１本の配線コード１になるので、使用時や保管時に便利である。その上、この配線コード１は、第１、第２及び第３の導体１１，２１，３１を有しているので、その内の２本又は３本を任意に使用でき、種々の用途に使用できる。
【００４２】
（ｂ）  第２及び第３のコード本体２０，３０が第１のコード本体１０内に収納された状態では、第２及び第３のコード本体２０，３０が第１のコード本体１０側の係止部１４−１ｂ，１４−１ｃ，１４−２ｂ，１４−２ｃによりそれぞれ係止されているので、配線コード１を屈曲させても、第２及び第３のコード本体２０，３０が第１のコード本体１０から外れることがない。
【００４３】
（ｃ）  第１の導体１１は第１の絶縁体１２により被覆され、第２の導体２１は第２の絶縁体２２により被覆され、更に、第３の導体３１は第３の絶縁体３２により被覆されているので、第２及び第３のコード本体２０，３０が第１のコード本体１０内に収納された状態では、第１の導体１１と第２及び第３の導体２１，３１との間の電気的な絶縁性が大きい。
【００４４】
（ｄ）  第１のコード本体１０は、断面の口径が大きいので、引っ張り強度等の機械的強度が大きい。第２及び第３のコード本体２０，３０は、断面の口径がそれぞれ小さいので、軽くて屈曲し易い。この第２及び第３のコード本体２０，３０は、引っ張り強度等の機械的強度が小さいが、これらを第１のコード本体１０内に収納した状態では、該第１のコード本体１０により機械的に保護される。従って、そのような配線コード１の特性に応じた種々の用途に使用できる。
【００４５】
（ｅ）  第１、第２及び第３のコード本体１０，２０，３０は、断面が簡素な形状であるから、製造が容易で、量産性が高く、低コスト化が可能である。
【実施例２】
【００４６】
図５（Ａ）〜（Ｄ）は、この発明の好ましい実施例２の配線コードを示す縦断面図であり、実施例１を示す図１及び図２中の要素と共通の要素には共通の符号が付されている。
【００４７】
図５（Ａ）に示す配線コード１Ａは、実施例１と同様に、長尺の第１、第２及び第３のコード本体１０Ａ，２０，３０を有し、この第１のコード本体１０Ａの側面に沿って第２及び第３のコード本体２０，３０が着脱自在に収納される構造になっている。この実施例３の配線コード１Ａが実施例１の配線コード１と異なる点は、第１のコード本体１０Ａにおける全体の断面形状が、角に丸みのある横長の長方形になっており、更に、係止部１４−１ｂ，１４−１ｃ，１４−２ｂ，１４−２ｃの断面の先端形状が、少し幅広の形状になっている点のみである。その他の形状及び構造は、実施例１と同様である。
【００４８】
同様に、図５（Ｂ）に示す長尺の配線コード１Ｂでは、第１のコード本体１０Ｂにおける全体の断面形状が、横長の略長方形になっている。図５（Ｃ）に示す長尺の配線コード１Ｃでは、第１のコード本体１０Ｃにおける全体の断面形状が、横方向に延びた略楕円形になっている。更に、図５（Ｄ）に示す長尺の配線コード１Ｄでは、第１のコード本体１０Ｄにおける全体の断面形状が、略楕円形になっている。
【００４９】
なお、各コード本体１０Ａ〜１０Ｄの外周には、図３に示すように、それらの各コード本体１０Ａ〜１０Ｄに適合する断面形状のリング部材４０を装着しても良い。
【００５０】
このように、第１のコード本体１０Ａ〜１０Ｄにおける全体の断面形状を変えても、実施例１とほぼ同様の作用効果を奏する。更に、係止部１４−１ｂ，１４−１ｃ，１４−２ｂ，１４−２ｃの断面の先端形状が、少し幅広の形状になっているので、第２及び第３のコード本体２０，３０を第１のコード本体１０内に収納する際に、嵌入し易くなる。
【００５１】
なお、係止部１４−１ｂ，１４−１ｃ，１４−２ｂ，１４−２ｃの断面の先端形状としては、先端を少し内側に湾曲させたり、あるいは、先端に少し丸みを付ける等しても、第２及び第３のコード本体２０，３０を第１のコード本体１０内に収納する際に、嵌入し易くなる。
【実施例３】
【００５２】
（実施例３の構成）
図６（Ａ）〜（Ｃ）は、この発明の好ましい実施例１又は２の配線コードを用いた携帯用音響機器を示す概略の構成図であり、同図（Ａ）は全体の側面図、同図（Ｂ）は第１の係合部材箇所の側面図、及び、同図（Ｃ）は第２の係合部材箇所の平面図である。
【００５３】
図６（Ａ）に示す携帯用音響機器は、例えば、イヤホン５０である。このイヤホン５０は、実施例１又は２の配線コード（例えば、実施例１の配線コード１）を用いて構成されている。所定の長さに切断された配線コード１は、図１に示すように、第１、第２及び第３のコード本体１０，２０，３０からなり、この配線コード１の一端側に第１の係合部材６０が装着され、該配線コード１の他端側に第２の係合部材７０が装着されている。
【００５４】
第１の係合部材６０は、一端（例えば、上端）が閉塞され、他端（例えば、下端）が開口された筒状の固定部６１と、この固定部６１の上端に突設された凸部６２とにより構成されている。筒状の固定部６１は、開口された下端側から第１、第２及び第３のコード本体１０，２０，３０の一端側が挿入されて固定され、且つ、第１のコード本体１０内の第１の導体１１の一部と第２のコード本体２０内の第２の導体２１とが電気的に接続されると共に、第１のコード本体１０内の第１の導体１１の他の部分と第３のコード本体３０内の第３の導体３１とが電気的に接続されている。
【００５５】
第２の係合部材７０は、一端（例えば、上端）が開口され、他端（例えば、下端）が閉塞された筒状の固定部７１と、この固定部７１の側面に設けられた凹部７２とにより構成されている。筒状の固定部７１は、開口された上端側から第１のコード本体１０の他端側が挿入されて固定されている。凹部７２は、第１の係合部材６０側の凸部６２を着脱自在に嵌入して前記凸部６２と係合するものである。
【００５６】
第２のコード本体２０の他端側には、電気／音響変換器であるステレオ型イヤホン本体８１が電気的に接続され、更に、第３のコード本体３０の他端側にも、電気／音響変換器であるステレオ型イヤホン本体８２が電気的に接続されている。第２の係合部材７０における固定部７１の例えば側面からは、第１のコード本体１０に対して電気的に接続された配線コード８３が引き出され、この配線コード８３の端部にプラグ８４が接続されている。更に、固定部７１の例えば他端側には、リング状の紐であるストラップ８５が取り付けられている。このストラップ８５を携帯用音響装置８６の掛止部８６ａに通して括り付けることにより、該携帯用音響機器８６の吊り下げが可能な構造になっている。携帯用音響装置８６に設けられた図示しないジャックには、プラグ８４が挿着される。
【００５７】
第１の係合部材６０における凸部６２には、首掛け部材９０が着脱自在に取り付け可能な構造になっている。首掛け部材９０は、リング状の首掛け紐９１と、この首掛け紐９１の両端を固定する固定部９２と、この固定部９２内に形成され、前記凸部６２を着脱自在に嵌入して前記凸部６２と係合するための凹部９３とにより構成されている。
【００５８】
なお、第１の係合部材６０側の固定部６１により固定された第１、第２及び第３のコード本体１０，２０，３０の一端側と、この第２及び第３のコード本体２０，３０の他端側との間には、図３に示すようなリング部材４０を摺動可能に装着しても良い。
【００５９】
（実施例３の使用例）
この実施例３のイヤホン５０の使用例を説明する。
イヤホン５０を使用する場合、第２の係合部材７０に取り付けられたストラップ８５を携帯用音響装置８６の掛止部８６ａに通して括り付けておく。第２の係合部材７０の側面から引き出された配線コード８３に接続されたプラグ８４を、携帯用音響装置８６に設けられた図示しないジャックに挿入する。第１の係合部材６０に取り付けられた首掛け部材９０の首掛け紐９１を首に掛け、第１のコード本体１０内から引き出されて分岐された第２及び第３のコード本体２０，３０に接続されているイヤホン本体８１，８２を両耳に挿入する。
【００６０】
第１のコード本体１０内から分岐される第２及び第３のコード本体２０，３０の長さを調整する場合、第１のコード本体１０から、第２及び第３のコード本体２０，３０のイヤホン本体８１，８２側を外方向へ引っ張れば、その第２及び第３のコード本体２０，３０が第１のコード本体１０の第１及び第２の嵌合溝１４−１，１４−２から引き出されて分岐されるので、第２及び第３のコード本体２０，３０の分岐長が長くなる。この際、第１、第２及び第３のコード本体１０，２０，３０にリング部材４０が装着されていれば、このリング部材４０が第１のコード本体１０の上方向へ摺動していくので、第２及び第３のコード本体２０，３０の分岐長が長くなる。
【００６１】
又、第１のコード本体１０に対する第２及び第３のコード本体２０，３０の分岐部分を、例えば指で摘んで下方向へ移動させれば、分岐した第２及び第３のコード本体２０，３０の部分が第１のコード本体１０の第１及び第２の嵌合溝１４−１，１４−２内にそれぞれ嵌入されていくので、第２及び第３のコード本体２０，３０の分岐長が短くなる。この際、第１、第２及び第３のコード本体１０，２０，３０にリング部材４０が装着されていれば、このリング部材４０を指で摘んで下方向へ摺動させれば、分岐した第２及び第３のコード本体２０，３０の部分が第１のコード本体１０の第１及び第２の嵌合溝１４−１，１４−２内にそれぞれ嵌入されていくので、第２及び第３のコード本体２０，３０の分岐長が短くなる。
【００６２】
携帯用音響装置８６から出力された音声信号は、プラグ８４、配線コード８３、及び、第１、第２、第３のコード本体１０，２０，３０を通してイヤホン本体８１，８２により音に変換され、両耳で聴くことができる。
【００６３】
（実施例３の他の使用例）
図７は、図６のイヤホン５０の他の使用例を示す図である。
この図７では、図６のイヤホン５０をハンドストラップとして使う場合の使用例が示されている。
【００６４】
ハンドストラップとして使用する場合は、第１の係合部材６０の凸部６２から、首掛け部材９０の凹部９３を抜き取る。そして、第１の係合部材６０の凸部６２を、第２の係合部材７０の凹部７２へ挿着すれば、ハンドストラップとしての使用が可能になる。
【００６５】
（実施例３の効果）
この実施例３のイヤホン５０によれば、以下の（ａ）〜（ｅ）のような効果がある。
【００６６】
（ａ）  第１のコード本体１０の第１及び第２の嵌合溝１４−１，１４−２内に、第１及び第２のコード本体２０，３０をそれぞれ着脱自在に収納する構成になっているので、従来のものよりも配線コード部分を細くて簡素な形態にできる。しかも、首に掛けて使用する場合、第１のコード本体１０から分岐した第２及び第３のコード本体２０，３０を外方向へ引っ張れば、この第２及び第３のコード本体２０，３０の分岐長が長くなり、この分岐部分を指で摘んで下方向へ移動させるか、あるいはリング部材４０を下方向へ移動させれば、第２及び第３のコード本体２０，３０の分岐長が短くなるので、分岐長を容易に調整できて便利である。又、保管時においても、分岐した第２及び第３のコード本体２０，３０を第１のコード本体１０内に容易に収納できるので、配線コード部分の絡み付きを防止できる。
【００６７】
（ｂ）  使用時において、図６に示すように、リング状の首掛け紐９１を首に掛けてイヤホン本体８１，８２を両耳に挿入した場合、吊り下げた携帯用音響装置８６の荷重が、大口径で機械的強度の大きな第１のコード本体１０を介して首に掛かるので、小口径で軽い第２及び第３のコード本体２０，３０に接続されたイヤホン本体８１，８２に直接、テンションが掛からない。そのため、イヤホン本体８１，８２が耳から外れ難いばかりか、耳が疲れない。
【００６８】
（ｃ）  第１及び第２の係合部材６０，７０を設けているので、図６に示すように、携帯用音響装置８６を聴くために使用したり、あるいは、図７に示すように、ハンドストラップとして使用する等、用途が多い。
【００６９】
（ｄ）  配線コード１は、第１、第２及び第３のコード本体１０，２０，３０を有する３本１組の構成であるので、例えば、第１及び第２のコード本体１０，２０を２つのイヤホン本体８１，８２にそれぞれ電気的に接続し、残りの第３のコード本体３０に携帯用マイクロホン等の他の電気部品を電気的に接続すると共に、プラグ８４を３極用のプラグに代える等すれば、携帯電話機等の他の携帯用機器等の用途にも使用できる。
【００７０】
（ｅ）  図５に示すような他の配線コード１Ａ，１Ｂ，１Ｃ，１Ｄを使用しても、前記（ａ）〜（ｄ）とほぼ同様の効果がある。
【００７１】
（変形例）
なお、この発明は、上記実施例１〜３に限定されず、種々の変形が可能である。この変形例としては、例えば、以下の（ａ）〜（ｃ）のようなものがある。
【００７２】
（ａ）  図２に示す係止部１４−１ｂ，１４−１ｃ，１４−２ｂ，１４−２ｃの断面形状は、先端が尖っているが、この尖った先端を少し内側に湾曲させたり、あるいは、尖った先端に少し丸みを付ければ、第２及び第３のコード本体２０，３０を第１のコード本体１０内に収納する際に、嵌入し易くなる。
【００７３】
（ｂ）  第１のコード本体１０の全体の断面形状、あるいは、第２及び第３のコード本体２０，３０の全体の断面形状は、図１、図２及び図５以外の略正方形、略多角形等の他の断面形状に変更できる。又、第１のコード本体１０には、第１及び第２の嵌合溝１４−１，１４−２を設け、これに第２及び第３のコード本体２０，３０をそれぞれ収納する構造になっているが、例えば、第１のコード本体１０の断面の口径を大きくして３つ以上の嵌合溝を設けることにより、３本以上のコード本体を収納する構造にすることも可能である。
【００７４】
（ｃ）  配線コード１，１Ａ〜１Ｄの使用例として、イヤホン５０について説明したが、ヘッドホン等の他の携帯用音響機器や、その他の種々の携帯用機器等にも使用できる。
【図面の簡単な説明】
【００７５】
【図１】この発明の好ましい実施例１を示す配線コードの概略の斜視図である。
【図２】この発明の好ましい実施例１を示す図１の配線コードの端面部分の斜視図である。
【図３】この発明の好ましい実施例１を示すリング部材付きの配線コードの概略の斜視図である。
【図４】この発明の好ましい実施例１の配線コードにおける着脱動作を示す縦断面図である。
【図５】この発明の好ましい実施例２の配線コードを示す縦断面図である。
【図６】この発明の好ましい実施例１又は２の配線コードを用いた携帯用音響機器を示す概略の構成図である。
【図７】図６のイヤホンの他の使用例を示す図である。
【符号の説明】
【００７６】
１，１Ａ〜１Ｄ      配線コード
１０，２０，３０      第１、第２、第３のコード本体
１１，２１，３１      第１、第２、第３の導体
１２，２２，３２      第１、第２、第３の絶縁体
１２Ａ〜１２Ｄ      第１の絶縁体
１４−１，１４−２      第１、第２の嵌合溝
１４−１ａ，１４−２ａ      第１、第２の開口部
１４−１ｂ，１４−１ｃ      第１の係止部
１４−２ｂ，１４−２ｃ      第２の係止部
４０      リング部材
５０      イヤホン
６０，７０      第１、第２の係合部材
８１，８２      イヤホン本体
８４      プラグ
８５      ストラップ
８６      携帯用音響装置
９０      首掛け部材
【図１】
2008300078.tif 000003
【図２】
2008300078.tif 000004
【図３】
2008300078.tif 000005
【図４】
2008300078.tif 000006
【図５】
2008300078.tif 000007
【図６】
2008300078.tif 000008
【図７】
2008300078.tif 000009
【手続補正書】
【提出日】平成19年6月15日(2007.6.15)
【手続補正１】
【補正対象書類名】図面
【補正対象項目名】図２
【補正方法】変更
【補正の内容】
【図２】
2008300078.tif 000010